(57)【要約】【課題】リモコンをトイレルーム内の左右のいずれの壁に設置した場合に、リモコンとトイレ機器の受信アンテナとの間に人体等の電波障害物が存在しても、リモコンからの電波の受信感度が同等になるトイレ用リモコン及びトイレ機器を提供する。【解決手段】左用アンテナ部７ａは主として左方向に電波を発信し、右用アンテナ部７ｂは主として右方向に電波を発信する。このため、リモコン１と受信アンテナとの間に人体等の障害物が存在していても、リモコンからの電波の受信感度が同じになる。位相回路１２によって、左右のアンテナ部７ａ，７ｂで発信電波の位相を異ならせている。【選択図】図１
2007211555.tif 000002
【特許請求の範囲】
【請求項１】
トイレルームに設置され、アンテナによってトイレ機器操作用の電波を発信するトイレ用リモコンにおいて、
該リモコンの左方と右方の２方向へ略対称に電波を発信するように構成されていることを特徴とするトイレ用リモコン。
【請求項２】
請求項１において、左方向へ電波を発信する左用アンテナと、右方向へ電波を発信する右用アンテナとを備えたことを特徴とするトイレ用リモコン。
【請求項３】
請求項２において、左用アンテナの後方に電波を左方向に反射する左用反射体が設けられ、右用アンテナの後方に電波を右方向に反射させる右用反射体が設けられていることを特徴とするトイレ用リモコン。
【請求項４】
請求項２又は３において、左用アンテナからの電波と右用アンテナからの電波とで位相を異ならせるようにしたことを特徴とするトイレ用リモコン。
【請求項５】
請求項１において、前記アンテナは左方向から右方向にかけて連続して電波を発信するものであり、
該アンテナからリモコンの正面方向に発信に向かう電波出力を低下させる手段を設け、これにより左方向と右方向との２方向へ電波を発信するようにしたことを特徴とするトイレ用リモコン。
【請求項６】
請求項５において、該手段は電波の反射体であることを特徴とするトイレ用リモコン。
【請求項７】
請求項１ないし６のいずれか１項において、前記リモコンは、ケースと、該ケース内に配置されたアンテナと、該アンテナに電気信号を与える機器とを備えてなり、
該アンテナは該機器よりも外周側に設けられていることを特徴とするトイレ用リモコン。
【請求項８】
請求項１ないし６のいずれか１項において、前記リモコンは、ケースと、該ケース内に配置されたアンテナと、該アンテナに電気信号を与えるための回路を搭載した回路基板を備えており、前記アンテナは該回路基板よりも前方に配置されていることを特徴とするトイレ用リモコン。
【請求項９】
請求項１ないし８のいずれか１項において、電波発信方向を下向き方向としたアンテナを更に備えていることを特徴とするトイレ用リモコン。
【請求項１０】
暖房便座を有するトイレ機器であって、電波リモコンからの電波を受信するアンテナを有するトイレ機器において、該暖房便座のヒータが受信アンテナとして用いられていることを特徴とするトイレ機器。
【請求項１１】
暖房便座を有するトイレ機器であって、電波リモコンからの電波を受信するアンテナを有するトイレ機器において、該暖房便座のヒータの熱を均熱化するための伝熱用金属箔が受信アンテナとして用いられていることを特徴とするトイレ機器。
【請求項１２】
便蓋を有するトイレ機器であって、電波リモコンからの電波を受信するアンテナを有するトイレ機器において、該便蓋に左右対称に該受信アンテナが設けられていることを特徴とするトイレ機器。
【請求項１３】
便器の左右両側に左右対称に設けられた音響スピーカを有するトイレ機器であって、電波リモコンからの電波を受信するアンテナを有するトイレ機器において、各音響スピーカのコイルが受信アンテナとして用いられていることを特徴とするトイレ機器。
【請求項１４】
便器の後部上面に設置される上面部材と、該上面部材に上下方向回動自在に取り付けられた便座又は便蓋よりなる回動体とを備え、該回動体は、その左右から後方にアームが突設され、前記上面部材の前部には、各アーム間に配置される前方膨出部が設けられており、
該アームは該前方膨出部の側面部分に軸支され、該回動体が起立した場合該回動体は該前方膨出部の上方に位置するトイレ機器において、
トイレ用リモコンからの電波を受信する受信アンテナが該前方膨出部内に左右対称に設けられていることを特徴とするトイレ機器。
【請求項１５】
便器の後部上面に設置される上面部材と、該上面部材に上下方向回動自在に取り付けられた便座又は便蓋よりなる回動体とを備え、該回動体は、その左右から後方にアームが突設され、前記上面部材の前部には、各アーム間に配置される前方膨出部が設けられており、
該アームは該前方膨出部に軸支されているトイレ機器において、
該回動体の外周の左右の両側面にそれぞれトイレ用リモコンからの電波を受信する受信アンテナが設けられていることを特徴とするトイレ機器。
【発明の詳細な説明】
【技術分野】
【０００１】
本発明は、トイレルームに設置されるトイレ用リモコンに係り、特にアンテナから信号電波を発信するようにした電波リモコンに関する。
【０００２】
また、本発明は、電波リモコンからの電波を受信するアンテナを有したトイレ機器に関する。
【背景技術】
【０００３】
［電波リモコン］
電波リモコンによってトイレ用温水洗浄装置を操作するよう構成することが特開２００５−９００６２号に記載されている。この特開２００５−９００６２号には、受信アンテナを左右対称に設置することについての記載はない。なお、本明細書において、左右とはトイレルーム内の便器を利用する姿勢の人にとっての左右をいう。
［受信アンテナを有したトイレ機器］
特開２０００−３３０５２号には、トイレ利用者が所持するＩＤカードからの電波を、暖房便座のヒータを受信アンテナとして用いて受信する個人認識手段付きトイレ装置が記載されている。
【特許文献１】特開２００５−９００６２号
【特許文献２】特開２０００−３３０５２号
【発明の開示】
【発明が解決しようとする課題】
【０００４】
トイレ用リモコンの電波強度は、電波法の規制強度以下とする必要がある。そのため、リモコンをトイレの左側の壁に設置した場合、受信アンテナがトイレの右側に配置されているときには、人体が障害となり、通信不良となるおそれがある。
【０００５】
なお、上記特開２００５−９００６２号の電波リモコンには、電波を左右２方向に発信することは開示されていない。
【０００６】
本発明は、リモコンをトイレルーム内の左右のいずれの壁に設置した場合に、リモコンとトイレ機器の受信アンテナとの間に人体等の電波障害物が存在しても、リモコンからの電波の受信感度が同等になるトイレ用リモコン及びトイレ機器を提供することを目的とする。
【課題を解決するための手段】
【０００７】
請求項１のトイレ用リモコンは、トイレルームに設置され、アンテナによってトイレ機器操作用の電波を発信するトイレ用リモコンにおいて、該リモコンの左方と右方の２方向へ略対称に電波を発信するように構成されていることを特徴とするものである。
【０００８】
請求項２のトイレ用リモコンは、請求項１において、左方向へ電波を発信する左用アンテナと、右方向へ電波を発信する右用アンテナとを備えたことを特徴とするものである。
【０００９】
請求項３のトイレ用リモコンは、請求項２において、左用アンテナの後方に電波を左方向に反射する左用反射体が設けられ、右用アンテナの後方に電波を右方向に反射させる右用反射体が設けられていることを特徴とするものである。
【００１０】
請求項４のトイレ用リモコンは、請求項２又は３において、左用アンテナからの電波と右用アンテナからの電波とで位相を異ならせるようにしたことを特徴とするものである。
【００１１】
請求項５のトイレ用リモコンは、請求項１において、前記アンテナは左方向から右方向にかけて連続して電波を発信するものであり、該アンテナからリモコンの正面方向に発信に向かう電波出力を低下させる手段を設け、これにより左方向と右方向との２方向へ電波を発信するようにしたことを特徴とするものである。
【００１２】
請求項６のトイレ用リモコンは、請求項５において、該手段は電波の反射体であることを特徴とするものである。
【００１３】
請求項７のトイレ用リモコンは、請求項１ないし６のいずれか１項において、前記リモコンは、ケースと、該ケース内に配置されたアンテナと、該アンテナに電気信号を与える機器とを備えてなり、該アンテナは該機器よりも外周側に設けられていることを特徴とするものである。
【００１４】
請求項８のトイレ用リモコンは、請求項１ないし６のいずれか１項において、前記リモコンは、ケースと、該ケース内に配置されたアンテナと、該アンテナに電気信号を与えるための回路を搭載した回路基板を備えており、前記アンテナは該回路基板よりも前方に配置されていることを特徴とするものである。
【００１５】
請求項９のトイレ用リモコンは、請求項１ないし８のいずれか１項において、電波発信方向を下向き方向としたアンテナを更に備えていることを特徴とするものである。
【００１６】
請求項１０のトイレ機器は、暖房便座を有するトイレ機器であって、電波リモコンからの電波を受信するアンテナを有するトイレ機器において、該暖房便座のヒータが受信アンテナとして用いられていることを特徴とするものである。
【００１７】
請求項１１のトイレ機器は、暖房便座を有するトイレ機器であって、電波リモコンからの電波を受信するアンテナを有するトイレ機器において、該暖房便座のヒータの熱を均熱化するための伝熱用金属箔が受信アンテナとして用いられていることを特徴とするものである。
【００１８】
請求項１２のトイレ機器は、便蓋を有するトイレ機器であって、電波リモコンからの電波を受信するアンテナを有するトイレ機器において、該便蓋に左右対称に該受信アンテナが設けられていることを特徴とするものである。
【００１９】
請求項１３のトイレ機器は、便器の左右両側に左右対称に設けられた音響スピーカを有するトイレ機器であって、電波リモコンからの電波を受信するアンテナを有するトイレ機器において、各音響スピーカのコイルが受信アンテナとして用いられていることを特徴とするものである。
【００２０】
請求項１４のトイレ機器は、便器の後部上面に設置される上面部材と、該上面部材に上下方向回動自在に取り付けられた便座又は便蓋よりなる回動体とを備え、該回動体は、その左右から後方にアームが突設され、前記上面部材の前部には、各アーム間に配置される前方膨出部が設けられており、該アームは該前方膨出部の側面部分に軸支され、該回動体が起立した場合該回動体は該前方膨出部の上方に位置するトイレ機器において、トイレ用リモコンからの電波を受信する受信アンテナが該前方膨出部内に左右対称に設けられていることを特徴とするものである。
【００２１】
請求項１５のトイレ機器は、便器の後部上面に設置される上面部材と、該上面部材に上下方向回動自在に取り付けられた便座又は便蓋よりなる回動体とを備え、該回動体は、その左右から後方にアームが突設され、前記上面部材の前部には、各アーム間に配置される前方膨出部が設けられており、該アームは該前方膨出部に軸支されているトイレ機器において、該回動体の外周の左右の両側面にそれぞれトイレ用リモコンからの電波を受信する受信アンテナが設けられていることを特徴とするものである。
【発明の効果】
【００２２】
本発明（請求項１〜９）のトイレ用リモコンによると、リモコンが左右２方向に電波を発信するので、リモコンを左右いずれの壁に設置しても、またリモコンと受信アンテナとの間に人体等の障害物が存在しても、リモコンからの電波の受信感度が同じになる。
【００２３】
このトイレ用リモコンの一態様では、左用アンテナと右用アンテナとを設けることにより、確実に２方向に電波を発信することができる。
【００２４】
この場合、左用アンテナ及び右用アンテナの後方に、それぞれ、左方向反射用の左用反射体と、右方向反射用の右用反射体を設けることにより、電波の指向性を向上させることができる。
【００２５】
また、左用アンテナと右用アンテナとで位相を異ならせることにより、トイレルーム内における電波強度の平準化を図ることができる。
【００２６】
本発明のトイレ用リモコンの別の一態様では、アンテナとして左方向から右方向まで連続して電波を発信するものを用い、該アンテナから正面方向に向かう電波出力を低下させる手段（例えば反射体）を設けてもよい。このようにすれば、アンテナを１個だけ設けることが可能となる。
【００２７】
本発明のトイレ用リモコンでは、アンテナに電気信号を与える機器よりも外周側にアンテナを設けてもよい。このようにすれば、アンテナの立体角が大きくなり、人体などの障害物の影響を避け易くなる。
【００２８】
また、本発明のトイレ用リモコンでは、アンテナをリモコン内の回路基板よりも前方に配置するのが好ましい。これにより、回路基板上の電子部品によって電波が遮断されることが防止される。
【００２９】
本発明のトイレ用リモコンでは、下向き方向に電波を発信するアンテナを設けてもよい。これにより、受信アンテナがトイレルーム内の低位置に設けられている場合でも、電波の受信感度の低下を防止することができる。
【００３０】
本発明（請求項１０）のトイレ機器では、暖房便座のヒータを受信アンテナとして利用している。この暖房便座のヒータは左右対称に設けられているから、電波リモコンを左右のいずれの壁に設置しても、リモコンからの電波の受信感度が同じになる。
【００３１】
本発明（請求項１１）のトイレ機器では、暖房便座の伝熱用金属箔（例えばアルミ箔）を受信アンテナとして利用している。この伝熱用金属箔は左右対称に設けられているから電波リモコンを左右のいずれの壁に設置しても、リモコンからの電波の受信感度が同じになる。
【００３２】
本発明（請求項１２）のトイレ機器では、便蓋に受信アンテナが左右対称に設けられているから電波リモコンを左右のいずれの壁に設置しても、リモコンからの電波の受信感度が同じになる。
【００３３】
本発明（請求項１３）のトイレ機器では、便器の両側に左右対称に設けられた音響スピーカのコイルを受信アンテナとして利用している。このコイルが左右対称に設けられているから電波リモコンを左右のいずれの壁に設置しても、リモコンからの電波の受信感度が同じになる。
【００３４】
本発明（請求項１４）のトイレ機器では、受信アンテナが前方膨出部内に左右対称に設けられている。この前方膨出部は左右対称であり、受信アンテナが左右対称に設けられているから電波リモコンを左右のいずれの壁に設置しても、リモコンからの電波の受信感度が同じになる。
【００３５】
本発明（請求項１５）のトイレ機器では、便座又は便蓋の左右の各側面にそれぞれ受信アンテナが設けられている。受信アンテナが左右対称に設けられているから電波リモコンを左右のいずれの壁に設置しても、リモコンからの電波の受信感度が同じになる。
【発明を実施するための最良の形態】
【００３６】
以下、図面を参照して実施の形態について説明する。第１図は第１の実施の形態に係るトイレ用リモコンの構成図であり、（ａ）図はリモコンの正面図、（ｂ）図は（ａ）図のＢ−Ｂ線断面図、（ｃ），（ｄ）図は（ｂ）図のＣ−Ｃ線、Ｄ−Ｄ線断面図である。第２図はこのトイレ用リモコンの動作説明図である。
【００３７】
このトイレ用リモコン１は、合成樹脂製の方形の薄箱状のケース２内に回路基板４、アンテナ７，８等を配置したものである。
【００３８】
リモコン１の正面には、指で押されて後退するスイッチ部３が設けられている。回路基板４には、各種電子回路部品５のほか、スイッチ部３に対峙するスイッチ６が搭載されている。
【００３９】
アンテナ７，８はいずれも回路基板４の前方に配置されている。アンテナ７はケース２の内周に沿って延在している。アンテナ７のうち、ケース２の左右の両側辺に沿って上下方向に延在する部分が左用アンテナ部７ａ，右用アンテナ部７ｂとなっている。アンテナ７のうち、ケース２の下辺に沿う部分７ｃに対し処理回路１０、送信回路１１を介して電気信号が与えられる。この部分７ｃには、アンテナの左右で位相を異ならせるための位相回路１２が設けられている。アンテナ７の上辺部７ｄは左用アンテナ部７ａに連なり、上辺部７ｅは右用アンテナ部７ｂに連なっている。これらの上辺部７ｄ，７ｅの先端同士は下方に垂下し、且つ互いに所定距離だけ離隔している。
【００４０】
アンテナ８はコ字形に延在しており、ケース２の下辺に沿う部分が下方への電波発信部８ａとなっており、上辺部分が上方への電波発信部８ｂとなっている。これらを結ぶ上下方向部８ｃに位相回路１３が設けられ、電波発信部８ａ，８ｂで発信電波の位相を異ならせるようにしている。この上下方向部８ｃに処理回路１０が送信回路１１を介して接続されている。
【００４１】
このように構成されたトイレ用リモコン１においては、第２図の通り、左用アンテナ部７ａは主として左方向に電波を発信し、右用アンテナ部７ｂは主として右方向に電波を発信する。このため、リモコン１をトイレルーム内の左右のどちらの壁に設置しても、リモコンからの電波の受信感度が同じになる。なお、第２図（ａ），（ｂ）はリモコン１の模式的な水平断面図である。
【００４２】
特に、この実施の形態では、位相回路１２によって、左右のアンテナ部７ａ，７ｂで発信電波の位相を異ならせており、一方のアンテナ部７ａ又は７ｂからの電波強度が強いときに他方のアンテナ７ｂ又は７ａからの電波強度は弱いものとなっているので、トイレルーム内の電波強度の平準化を図ることができる。
【００４３】
また、この実施の形態では、アンテナ８ａが下方に向って電波を発信するので、リモコン１が高位置に設けられたり、受信アンテナが低位置に配置されたりしていても、受信感度の低下が防止される。
【００４４】
この実施の形態では、アンテナ７，８が回路基板４よりも前方に設けられているので、アンテナ７，８からの電波が回路基板４で遮断されない。また、アンテナ７，８をケース２の外周側に設けているので、アンテナの立体角が大きい。
【００４５】
第３図（ａ）は別の実施の形態に係るトイレ用リモコン１Ａの正面縦断面図、同（ｂ）は同（ａ）のＢ−Ｂ線断面図である。
【００４６】
この実施の形態では、アンテナ１４は、ケース２内において該ケース２の外周に沿って配材されており、左右の上下方向の部分が左右のアンテナ部１４ａ，１４ｂとなっている。１４ｃはケース２の下辺部分に沿って延在し、アンテナ部１４ａ，１４ｂにそれぞれ連なる上部１４ｄ，１４ｅはケース２の上辺部分に沿って延在している。
【００４７】
この実施の形態では、左右のアンテナ部１４ａ，１４ｂの後方にＬ字形断面形状の反射体１５ａ，１５ｂを設けている。左側の反射体１５ａはアンテナ１４ａからの電波を左方向に反射し、右側の反射体１５ｂはアンテナ１４ｂからの電波を右方向に反射する。なお、反射体１５ａ，１５ｂは上部１５ｃを介して一体化され、コ字形状となっている。この上部１５ｃはアンテナ上部１４ｄ，１４ｅの背後側に配置されている。
【００４８】
この反射体１５ａ，１５ｂを設けたことにより、各アンテナ部１４ａ，１４ｂからの電波の左方向、右方向への電波強度が向上する。
【００４９】
第３図のその他の符号は上記実施の形態と同一部分を示している。なお、反射体１５ａ，１５ｂの断面形状はＬ字形に限定されず、例えば四分円弧状などであってもよい。
【００５０】
第４図のトイレ用リモコン１Ｂは、ケース２内においてセラミックアンテナ１７を左右に延在させている。このアンテナ１７それ自体は、左方から右方にかけて連続して電波を発信する。このアンテナ１７の長手方向の中間部に、正面方向へ向う電波を反射するための反射体１８を設けている。これにより、アンテナ１７から左方向及び右方向にそれぞれ電波が発信される。なお、第４図（ａ）はトイレ用リモコン１Ｂの正面縦断面図、同（ｂ）は同（ａ）のＢ−Ｂ線断面図である。
【００５１】
第５図〜第１０図を参照して本発明（請求項１０〜１５）の実施の形態について説明する。
【００５２】
第５図（ａ）は請求項１０の実施の形態に係るトイレ機器としての洋風便器用便座装置の斜視図、同（ｂ）は同（ａ）のＢ−Ｂ線に沿う便座断面図である。
【００５３】
洋風便器２０の後部上面にタンクカバー２１が設置され、このタンクカバー２１内にロータンクや、人体臀部を温水で洗浄するための温水洗浄装置、臀部乾燥用の温風ファン、脱臭装置、各種電気機器の制御回路基板等が設置されている。このタンクカバー２１の前面の下辺部にあっては、便器幅方向の中央部分が前方へ膨出した前方膨出部２１ａとなっている。この前方膨出部２１ａに対し暖房便座２２及び便蓋２３が上下方向回動自在に取り付けられている。便座２２及び便蓋２３の後部の左右両側から後方へそれぞれアーム２２ａ，２３ａが突設され、各アーム２２ａ，２３ａが前方膨出部２１ａの側面に対峙し、支軸によって該前方膨出部２１ａに回動自在に取り付けられている。
【００５４】
暖房便座２２内の天井面部分には、熱を均等に暖房便座２２の上面に伝達するためのアルミ箔２４が貼着され、このアルミ箔２４にヒータ２５が取り付けられている。ヒータ２５は暖房便座２２を周回して設けられている。
【００５５】
トイレルームの左側の壁面には、電波リモコン４０が取り付けられており、この電波リモコン４０のスイッチを操作することにより電波リモコン４０から電波信号が発信し、暖房便座２２や、その他の各電気機器の操作を行うことができる。
【００５６】
この実施の形態では、電波リモコン４０からの電波をヒータ２５が受信するよう構成されている。このヒータ２５は、暖房便座２２に左右対称に設けられているから、リモコン４０が左右のいずれの側の壁面に取り付けられていても、リモコンからの電波の受信感度が同じになる。
【００５７】
なお、ヒータ２５は、そのリード線がヒンジ部分を通してタンクカバー２１内に引き込まれているので、このリード線を介して制御回路に受信信号が伝達される。
【００５８】
本発明（請求項１１）の実施の形態では、アルミ箔２４をアンテナとして用いる。このアルミ箔２４もヒータ２５と同様に暖房便座２２を周回し、左右対称に設けられているので、リモコン４０を左右のいずれの壁に取り付けても、リモコンからの電波の受信感度が同じになる。
【００５９】
なお、アルミ箔で受信した信号は、信号用リード線を介して制御回路に伝達されてもよく、後述の第７図のように結合用コイル２７，２８を介してタンクカバー２１側へ伝達されてもよい。
【００６０】
第６図は請求項１２の実施の形態を示すものであり、便蓋２３に左右対称にアンテナ２６が設けられている。この実施の形態では、アンテナ２６は、環状に設けられているが、これに限定されない。アンテナ２６としては、アンテナ線を便蓋２３内に埋設したものが好適であるが、便蓋２３に貼り付けたものであってもよい。
【００６１】
この場合、第７図の通り、便蓋２３のアーム２３ａの軸支部に大径の１次コイル２７を設けると共に、タンクカバー２１側にこのコイル２７に内嵌する小径の２次コイル２８を設け、この結合用コイル２７，２８を介して信号を制御回路に伝達するようにしてもよい。
【００６２】
このアンテナ２６も左右対称となっているので、リモコン４０を左右のいずれの壁面に取り付けても、リモコンからの電波の受信感度が同じになる。
【００６３】
第８図は請求項１３の実施の形態を示すものである。この実施の形態ではタンクカバー２１の左右両側面にそれぞれ音を通すための小孔３１が設けられ、その裏側（タンクカバー２１の内部）にスピーカ３０がそれぞれ設けられている。スピーカ３０は、左右両側にそれぞれ設けられており、左右対称配置となっている。
【００６４】
このスピーカ３０のコイルがリモコン４０からの電波を受信するアンテナとして利用されている。このスピーカ３０がタンクカバー２１の左右両側に設けられているので、リモコン４０を左右のいずれの壁に設置しても、リモコンからの電波の受信感度が同じになる。
【００６５】
第９図は請求項１４の実施の形態を示すものである。この実施の形態では前方膨出部２１ａ内に左右に延在するようにアンテナ３３を設けている。このアンテナ２９も左右対称となっているので、リモコン４０を左右のいずれの壁面に取り付けても、リモコンからの電波の受信感度が同じになる。
【００６６】
第１０図は請求項１５の実施の形態を示すものである。この実施の形態では、暖房便座２２の左右のアーム２２ａとそれに引き続く便座側辺部の外側の側面に沿って直線状のアンテナ３５が設けられている。アンテナ３５，３５は左右対称配置となっている。この実施の形態でも、リモコン４０を左右のいずれの壁に設置しても、リモコンからの電波の受信感度が同じになる。
【００６７】
なお、上記リモコン４０は、請求項１〜９に係るリモコン１，１Ａ，１Ｂであってもよい。
【００６８】
上記実施の形態は本発明の一例であり、本発明は図示以外の形態をも取りうる。例えば、アンテナの形状は図示以外であってもよい。
【図面の簡単な説明】
【００６９】
【図１】実施の形態に係るトイレ用リモコン１の構成図である。
【図２】トイレ用リモコン１の動作図である。
【図３】実施の形態に係るトイレ用リモコン１Ａの構成図である。
【図４】実施の形態に係るトイレ用リモコン１Ｂの構成図である。
【図５】実施の形態に係るトイレ機器としての便座装置の構成図である。
【図６】実施の形態に係るトイレ機器としての便座装置の構成図である。
【図７】実施の形態に係るトイレ機器としての便座装置の構成図である。
【図８】実施の形態に係るトイレ機器としての便座装置の構成図である。
【図９】実施の形態に係るトイレ機器としての便座装置の構成図である。
【図１０】実施の形態に係るトイレ機器としての便座装置の構成図である。
【符号の説明】
【００７０】
１，１Ａ，１Ｂ，４０  トイレ用リモコン
２  ケース
７，８，１４，１７  アンテナ
１５ａ，１５ｂ，１８  反射体
２２  暖房便座
２３  便蓋
２４  アルミ箔
２５  ヒータ
２６，３３，３５  アンテナ
３０  スピーカ
【図１】
2007211555.tif 000003
【図２】
2007211555.tif 000004
【図３】
2007211555.tif 000005
【図４】
2007211555.tif 000006
【図５】
2007211555.tif 000007
【図６】
2007211555.tif 000008
【図７】
2007211555.tif 000009
【図８】
2007211555.tif 000010
【図９】
2007211555.tif 000011
【図１０】
2007211555.tif 000012